(57)【要約】      （修正有）【課題】構造が簡単で安定した給紙のできる給紙システムを提供する。【解決手段】ベース１０、伝動装置、給紙アセンブリ４０、昇降アセンブリ５０及びコントロール装置を包含し、該伝動装置は該ベースに固定され紙トレイ３０は前端が該ベースに枢接され後端は前端を中心に回転して該ベースより上向きに所定距離持ち上がり、該給紙アセンブリは該伝動装置に駆動され、該ベースに固定され該紙トレイの上方後端に位置し、該昇降アセンブリは該ベースに取り付けられ、且つ該紙トレイの下方後端に枢接され、該昇降アセンブリは該ベースに固定され一端が該伝動装置に接続されて該伝動装置に駆動されるギアセット５１と、該ギアセットにより駆動され回転し該紙トレイの下方後端に位置する回転軸５２及び弾性素子を包含し、該回転軸上にはカム部が設けられ、該回転軸が回転して該カム部が該紙トレイを押圧して下向きに揺動させ、該弾性素子は該紙トレイを弾性押圧して上向きに揺動させる。【選択図】図３
0003188075.tif 000002
【実用新案登録請求の範囲】
【請求項１】
給紙システムにおいて、
ベースと、
該ベースに固定される伝動装置と、
前端が該ベースに枢接され、後端が該前端を中心に回転して上向きに該ベースより所定距離を離れる紙トレイと、
該伝動装置により駆動され、該ベースに固定され且つ該紙トレイの上方後端に固定される給紙アセンブリと、
昇降アセンブリであって、該ベースに取り付けられ且つ該紙トレイの下方後端に枢接され、該昇降アセンブリは、該ベースに固定されて一端が該伝動装置に接続され該伝動装置に駆動されるギアセットと、該ギアセットにより駆動されて回転し且つ該紙トレイ下方後端に位置する回転軸及び弾性素子を包含し、該回転軸にカム部が設けられ、該回転軸は回転して該カム部に該紙トレイを押し下げさせて該紙トレイを揺動させ、該弾性素子は該紙トレイを弾性的に上向きに押し上げて揺動させる、上記昇降アセンブリと、
コントロール装置であって、コントロールシステムと該コントロールシステムによりコントロールされて該紙トレイ上に紙が有るか否かを検出する紙検出器を包含し、該コントロール装置は、該伝動装置をコントロールして該昇降アセンブリ及び該給紙アセンブリを駆動する、上記コントロール装置と、
を包含することを特徴とする、給紙システム。
【請求項２】
請求項１記載の給紙システムにおいて、該ギアセットは該ベースの一側に固定され、該ギアセットは該伝動装置と固定接続されたアクチュエートギア、該アクチュエートギアに噛み合う伝動ギア、及び該伝動ギアに噛み合い且つ該回転軸に固定接続された回転軸ギアを包含することを特徴とする、給紙システム。
【請求項３】
請求項２記載の給紙システムにおいて、該回転軸の一端は、該ギアセットに接続されて該伝動装置に接続され、他端は該ベース中部に挿通され、該回転軸は該回転軸ギアに固定接続された第１回転軸と、該第１回転軸に固定接続された第２回転軸を包含し、該カム部は該第２回転軸に設けられ、該昇降アセンブリは該回転軸ギアと該第１回転軸の間に取り付けられた第１ねじりバネと、該第１回転軸と該第２回転軸の間に取り付けられた第２ねじりバネとをさらに包含することを特徴とする、給紙システム。
【請求項４】
請求項１記載の給紙システムにおいて、該紙トレイの下表面後端中部に下向きに延伸された後にさらに後ろ向きに折り曲げられて延伸されて二つの押圧部が形成され、該回転軸には該カム部との対向面に凹口が設けられ、該回転軸は回転して該カム部が該押圧部を押圧して該紙トレイを下向きに揺動させるか、或いは該押圧部が該凹口部分に置かれて該紙トレイより離脱し、これにより該紙トレイが持ち上げられることを特徴とする、給紙システム。
【請求項５】
請求項１記載の給紙システムにおいて、該ベースの中部に収容溝が設けられ、該ベースの該収容溝の両側にそれぞれ枢接孔が開設され、該紙トレイの前端両側それぞれに外向きに延伸された枢軸が形成され、該枢軸が該枢接孔内に枢接されることで、該紙トレイ前端が該ベースに枢接されることを特徴とする、給紙システム。
【請求項６】
請求項５記載の給紙システムにおいて、該ベースの該収容溝の後端に二つの開溝が開設され、該紙トレイの後端に後ろ向きに二つのストッパブロックが延伸形成され、二つの該ストッパブロックは該開溝内に収容されしかも該開溝内で小幅の上下揺動を行えることを特徴とする、給紙システム。
【請求項７】
請求項５記載の給紙システムにおいて、該ベースの該収容溝の後端に二つの係止溝が開設され、該紙トレイの後端縁に、下向きに延伸後にさらに後ろ向きに折り曲げられ延伸されて二つの係止部が形成され、該紙トレイの該係止部が該係止溝内に係止可能であることを特徴とする、給紙システム。
【請求項８】
請求項１記載の給紙システムにおいて、該紙トレイの下表面後端中部に下向きに延伸された固定柱が形成され、前述の弾性素子の一端が該ベース上に押し上てられ、他端は該固定柱に嵌合されることを特徴とする、給紙システム。
【考案の詳細な説明】
【技術分野】
【０００１】
本考案は一種の給紙システムに係り、特に構造が簡単でしかも安定した給紙が行える給紙システムに関する。
【背景技術】
【０００２】
現在ある給紙機構は、紙トレイ及び給紙アセンブリを包含し、給紙アセンブリは紙トレイの上方に取り付けられる。紙トレイ上に紙をセットした後、一般にはモーターがセットされた紙の厚さにより紙トレイを固定高さまで持ち上げ、給紙アセンブリは給紙動作を開始する。
【０００３】
しかし、上述の給紙機構は、ある時間給紙した後、紙の総高さが下降し、紙トレイの持ち上げられた高さは変わらないため、給紙アセンブリの紙に対する取り込みの力が減り、さらに完全に紙に届かずに紙を取り込めなくなる現象が発生することがある。
【考案の概要】
【考案が解決しようとする課題】
【０００４】
本考案の目的は、上述の周知の不足点に対して、一種の給紙システムを提供することにあり、該給紙システムは、安定して給紙が行えしかも構造が簡単であり、大幅に製造のコストと構造の複雑度を減らすことができるものとする。
【課題を解決するための手段】
【０００５】
上述の目的を達成するため、本考案は一種の給紙システムを提供し、それは、ベース、伝動装置、紙トレイ、給紙アセンブリ、昇降アセンブリ及びコントロール装置を包含する。該伝動装置は該ベース上に固定され、該紙トレイは前端が該ベースに枢接され、後端は前端を中心に回転して該ベースより上向きに所定距離持ち上がる。該給紙アセンブリは該伝動装置により駆動され、該ベース上に固定され、しかも該紙トレイの上方後端に位置する。該昇降アセンブリは該ベース上に取り付けられ、且つ該紙トレイの下方後端に枢接され、該昇降アセンブリは該ベース上に固定され一端が該伝動装置に接続されて該伝動装置に駆動されるギアセットと、該ギアセットにより駆動され回転し且つ該紙トレイの下方後端に位置する回転軸及び弾性素子を包含し、該回転軸上にはカム部が設けられ、該回転軸は回転することで該カム部が該紙トレイを押圧して下向きに揺動させ、該弾性素子は該紙トレイを弾性押圧して上向きに揺動させる。該コントロール装置はコントロールシステム及び該コントロールシステムによりコントロールされて該紙トレイ上に紙があるか否かを検出する紙検出器を包含し、該コントロール装置は該伝動装置をコントロールして該昇降アセンブリ及び給紙アセンブリを駆動する。
【考案の効果】
【０００６】
総合すると、本考案の給紙システムは、弾性素子により弾性的に紙トレイを上に持ち上げ、該昇降アセンブリの回転軸は回転してカム部に下向きに紙トレイを押圧させ、これにより使用者が紙をセットできるようにし、並びに随時紙トレイの上昇高さを調整して、給紙アセンブリの給紙ロールが安定した前向きの力で紙を押さえ、並びに給紙動作を行えるようにし、これにより、有効に、空回りして給紙できない現象を防止する。本考案の給紙システムは構造が簡単で製造コストが低い。
【図面の簡単な説明】
【０００７】
【図１】本考案の給紙システムの一種の実施例の立体図である。
【図２】図１の給紙システムの部分立体分解図である。
【図３】図１の給紙システムの立体分解図である。
【図４】図１の給紙システムの別角度から見た部分立体図である。
【図５】図１の給紙システムの給紙状態の側面図である。
【図６】図１の給紙システムの紙セット状態の側面図である。
【考案を実施するための形態】
【０００８】
以下に本考案の技術内容、構造特徴、達成する目的及び作用効果について、以下に例を挙げ並びに図面を組み合わせて詳細に説明する。
【０００９】
図１から図４を参照されたい。本考案の給紙システム１００は、ベース１０、伝動装置２０、紙トレイ３０、給紙アセンブリ４０、昇降アセンブリ５０、コントロール装置及びケーシング７０を包含する。伝動装置２０、紙トレイ３０、給紙アセンブリ４０及び昇降アセンブリ５０はいずれもベース１０上に取り付けられ、且つ給紙アセンブリ４０及び昇降アセンブリ５０は伝動装置２０により駆動される。
【００１０】
図１から図４を参照されたい。上述のベース１０中部には収容溝１１が設けられる。ベース１０上の収容溝１１の前端両側にそれぞれ枢接孔１２が開設され、ベース１０上の収容溝１１の後端に、二つの開溝１３が設けられ、ベース１０上の収容溝１１の後端の二つの開溝１３の内側に、二つの係止溝１４が開設されている。
【００１１】
上述の紙トレイ３０は収容溝１１内に収容され、且つ前端がベース１０上に枢接され、後端は、前端を中心として回転し、ベース１０より上に所定距離持ち上がる。具体的には、紙トレイ３０の前端両側にそれぞれ外側に延伸するよう枢軸３１が形成され、枢軸３１が枢接孔１２内に枢接され、これにより、紙トレイ３０の前端がベース１０に枢接される。紙トレイ３０の後端は後ろ向きに延伸されて二つのストッパブロック３２が形成され、二つのストッパブロック３２は開溝１３内に収容されしかも開溝１３内で小幅の上下揺動可能であり、紙トレイ３０の後端縁の二つのストッパブロック３２の内側は下向きに延伸されてさらに後ろ向きに折り曲げられて延伸され、二つの係止部３３が形成され、係止部３３は係止溝１４内に係止され、これにより、紙トレイ３０はベース１０上に位置制限されて取り付けられる。紙トレイ３０の下表面後端中部は下向きに延伸された後にさらに後ろ向きに折り曲げられて延伸されて二つの押圧部３４が形成され、紙トレイ３０の下表面後端中部は下向きに延伸されて固定柱３５が形成されている。
【００１２】
上述の伝動装置２０はベース１０の一側に取り付けられ、駆動軸２１を有している。
【００１３】
上述の給紙アセンブリ４０は、伝動装置２０により駆動され、駆動軸２１によりベース１０上に取り付けられ、且つ紙トレイ３０上方後端に位置し、該給紙アセンブリ４０は駆動軸２１上に接続され且つ駆動軸２１を中心に回転する給紙ロール４１を包含し、該給紙ロール４１は一定の前向きの力で紙をつかみ取ることができる。
【００１４】
上述の昇降アセンブリ５０はベース１０上に取り付けられ且つ紙トレイ３０の下方後端に枢接され、昇降アセンブリ５０は、ベース１０に固定され且つ一端が伝動装置２０に固定接続され並びに伝動装置２０により駆動されるギアセット５１、ギアセット５１により駆動され回転し且つ紙トレイ３０の下方に位置する回転軸５２及び弾性素子５３を包含する。回転軸５２上にはカム部５２３が設けられ、並びにこれにより回転して紙トレイ３０を下向きに押圧して下向きに揺動させられ、弾性素子５３は、紙トレイ３０を上向きに弾性揺動させられる。該ギアセット５１はベース１０の一側に固定され、該回転軸５２の一端は、ギアセット５１に接続され並びに伝動装置２０上に接続され、他端はベース１０の中部に通される。具体的には、ギアセット５１は、伝動装置２０に固定接続されたアクチュエートギア５１１、アクチュエートギア５１１に噛み合う伝動ギア５１２及び伝動ギア５１２と噛合且つ回転軸５２に固定接続された回転軸ギア５１３を包含する。回転軸５２は、回転軸ギア５１３に固定接続された第１回転軸５２１及び第１回転軸５２１と固定接続された第２回転軸５２２を包含し、該第２回転軸５２２に上述のカム部５２３が設けられ、カム部５２３は軸体より突出し、第２回転軸５２２のカム部５２３に対向する面に凹口５２４が設けられ、第２回転軸５２２は回転してカム部５２３に該押圧部３４を押圧させて、紙トレイ３０を下向きに揺動させるか、或いは押圧部３４が凹口５２４に置かれて紙トレイ３０を離脱し、これにより、紙トレイ３０が持ち上がる。上述の昇降アセンブリ５０はさらに、回転軸ギア５１３と第１回転軸５２１の間に取り付けられた第１ねじりバネ５４と第１回転軸５２１と第２回転軸５２２の間に取り付けられた第２ねじりバネ５５を包含する。上述の弾性素子５３の一端はベース１０上に突き当たり、一端は固定柱３５に嵌合されている。
【００１５】
上述のコントロール装置はコントロールシステム（図示せず）及びコントロールシステムによりコントロールされて紙トレイ３０上に紙が有るか否かを検出する紙検出器６１を包含し、コントロール装置は伝動装置２０をコントロールして昇降アセンブリ５０及び給紙アセンブリ４０を駆動する。具体的には、該紙検出器６１は紙トレイ３０上に取り付けられ、且つ一端が紙トレイ３０の後端上表面より伸出し、紙検出器６１には検出部があり、該検出部は検出光線を発射可能で、検出される部材が検出部の検出光線を遮断することにより、検出信号を発生し、並びにコントロールシステムに伝送して処理する。
【００１６】
上述のケーシング７０は給紙アセンブリ４０及びベース１０上を被覆する。
【００１７】
図５及び図６を参照されたい。本考案の給紙システム１００の作業原理は以下のとおりである。
【００１８】
紙トレイ３０中に紙がない時、給紙アセンブリ４０は上昇した状態を保持し、弾性素子５３は紙トレイ３０を上向きに押して回転させて最高位置となし、ストッパブロック３２は開溝１３内に収容され、且つ開溝１３の底壁からある距離離れており、これが本考案の給紙システム１００の開始状態である。起動時には、伝動装置２０がアクチュエートギア５１１及び伝動ギア５１２を駆動して回転軸ギア５１３を駆動し、さらに回転軸ギア５１３により第１ねじりバネ５４を介して第１回転軸５２１を回転させ、さらに第１ねじりバネ５４を介して一定のトルクで動力を第２回転軸５２２に伝え、該第２回転軸５２２のカム部５２３が回転して紙トレイ３０の押圧部３４に至る時、カム部５２３が押圧部３４を下に押して紙トレイ３０の後端を駆動して下向きに揺動させ、ストッパブロック３２が開溝１３の底壁を押圧し、弾性素子５３を圧縮状態となす。このとき、紙トレイ３０の後端は下向きに揺動して使用者は紙を入れることができる（図５に示されるとおり）。
【００１９】
紙を紙トレイ３０に入れた後、紙検出器６１が紙トレイ３０上に取り付けられており、且つ一端が紙トレイ３０の上表面より伸出し得るため、紙が紙検出器６１に接触し、紙検出器６１はこの検出信号をコントロールシステムに伝送し、コントロールシステムは伝動装置２０をコントロールしてアクチュエートギア５１１を駆動し、動力は伝動ギア５１２及び回転軸ギア５１３を介し、さらに第１ねじりバネ５４により一定のトルクで動力が第１回転軸５２１につたわり、さらに第２ねじりバネ５５により第２回転軸５２２のカム部５２３につたわり、カム部５２３が回転して紙トレイ３０の押圧部３４より離れ、押圧部３４は凹口５２４部分に置かれる。このとき、弾性素子５３は紙トレイ３０を弾性押圧して給紙位置まで上向きに揺動させ（図６に示されるとおり）、このとき、伝動装置２０は給紙アセンブリ４０を駆動して回転させて給紙を開始し、弾性素子５３は紙トレイ３０を弾性押圧し随時紙トレイ３０の持ち上げ高さを調整でき、給紙アセンブリ４０の給紙ロール４１が安定して前向きの力で紙を押さえ並びに給紙動作を行えるようにする。これにより、有効に空回りして給紙できない現象を防止し、安定した給紙を行える。紙トレイ３０が上向きに回転して定位置にいたった後、紙トレイ３０の係止部３３は係止溝１４内に係止され、これにより、紙トレイ３０はベース１０よりはじき出されない。
【００２０】
給紙完了後に、紙検出器６１はこの検出信号をコントロールシステムに伝送し、コントロールシステムはモーターをコントロールし再度時計周りに回転し、紙トレイ３０を下に押して（図５に示されるとおり）、次の紙の投入が行えるようにする。
【００２１】
そのうち、紙トレイ３０が下に押される時、第１ねじりバネ５４はロックされて伝動し、紙トレイ３０が下に押されて固定位置に至ると、第２ねじりバネ５５は空転を開始する。給紙時に、第２ねじりバネ５５は弾性を釈放し、紙トレイ３０が上に押動して給紙位置にいたった後、第１ねじりバネ５４は空転を開始する。
【００２２】
総合すると、本考案の給紙システム１００は、弾性素子５３が紙トレイ３０を弾性的に押し上げることができ、昇降アセンブリ５０の回転軸５２が回転してカム部５２３が紙トレイ３０を押し下げることができ、使用者に紙を入れさせることができ、並びに随時紙トレイ３０の持ち上げの高さを調整でき、給紙アセンブリ４０の給紙ロール４１が安定して前向きの力で紙を押圧し並びに給紙動作を行え、これにより、有効に空転して給紙が行えない状況を防止する。本考案の給紙システム１００は、構造が簡単で、製造コストが低い。
【符号の説明】
【００２３】
１００  給紙システム
１０  ベース
１１  収容溝
１２  枢接孔
１３  開溝
１４  係止溝
２０  伝動装置
２１  駆動軸
３０  紙トレイ
３１  枢軸
３２  ストッパブロック
３３  係止部
３４  押圧部
３５  固定柱
４０  給紙アセンブリ
４１  給紙ロール
５０  昇降アセンブリ
５１  ギアセット
５１１  アクチュエートギア
５１２  伝動ギア
５１３  回転軸ギア
５２  回転軸
５２１  第１回転軸
５２２  第２回転軸
５２３  カム部
５２４  凹口
５３  弾性素子
５４  第１ねじりバネ
５５  第２ねじりバネ
６１  紙検出器
７０  ケーシング
【図１】
0003188075.tif 000003
【図２】
0003188075.tif 000004
【図３】
0003188075.tif 000005
【図４】
0003188075.tif 000006
【図５】
0003188075.tif 000007
【図６】
0003188075.tif 000008